(57)【要約】 【課題】戸枠に沿って移動可能な仕切部材において、ガイドの着脱が自在な仕切部材ガイド装置及び仕切部材を提供することにある。【解決手段】戸枠に沿って移動可能であり、床側の長手方向に沿って溝が形成された一又は複数の仕切部材ｄ１、ｄ２、ｄ３に取り付けられる仕切部材ガイド装置１であって、前記溝に接するように前記仕切部材の少なくとも一に取り付けられ、溝側及び床側が少なくとも開口する第一区画部１５と、操作側が開口する第二区画部１６とが形成されたベース１０と、前記第一区画部１５内で移動可能に配置されたキャッチ２０と、前記第二区画部１６内で移動可能に配置され、前記キャッチに取り付けられたノブ３０と、前記キャッチ２０に取り付けられ、ツボ受けに挿入できるガイド４０とからなり、前記キャッチは、前記ガイド４０を着脱自在に取り付けることができる着脱部２３を有することを特徴とする。【選択図】図１
2018178436.tif 000002
【特許請求の範囲】
【請求項１】
戸枠に沿って移動可能であり、床側の長手方向に沿って溝が形成された一又は複数の仕切部材（ｄ１、ｄ２、ｄ３）に取り付けられる仕切部材ガイド装置（１）であって、
前記溝に接するように仕切部材の少なくとも一に取り付けられ、溝側及び床側が少なくとも開口する第一区画部（１５）と、操作側が開口する第二区画部（１６）とが形成されたベース（１０）と、
前記第一区画部（１５）内で移動可能に配置されたキャッチ（２０）と、 
前記第二区画部（１６）内で移動可能に配置され、前記キャッチに取り付けられたノブ（３０）と、 
前記キャッチ（２０）に取り付けられ、ツボ受けに挿入できるガイド（４０）とからなり、 
前記キャッチは、前記ガイド（４０）を着脱自在に取り付けることができる着脱部（２３）を有する 
ことを特徴とする仕切部材ガイド装置。 
【請求項２】
請求項１に記載された仕切部材ガイド装置であって、 
前記ノブ（３０）は、 
前記キャッチ（２０）を前記第一区画部（１５）内で第一位置と第二位置に移動可能であり、 
前記第一位置では、前記キャッチに取り付けられた前記ガイドを前記第一区画部（１５）内に収納できる 
ことを特徴とする仕切部材ガイド装置。 
【請求項３】
請求項２に記載された仕切部材ガイド装置であって、 
前記着脱部は、前記ガイド（４０）を挟み込んで取り付ける挟持部（２３）である 
ことを特徴とする仕切部材ガイド装置。 
【請求項４】
請求項３に記載された仕切部材ガイド装置であって、 
前記挟持部（２３）は、弾性変形できるように形成されている 
ことを特徴とする仕切部材ガイド装置。 
【請求項５】
請求項４に記載された仕切部材ガイド装置であって、 
前記ノブは、操作状態を伝達するスプリングピン、プランジャ及びその他のクリック手段が取り付けられている 
ことを特徴とする仕切部材ガイド装置。 
【請求項６】
請求項１から５のいずれか１項に記載された仕切部材ガイド装置を備えた仕切部材。 
【請求項７】
請求項６に記載された仕切部材であって、 
前記ガイドは、 
前記ツボ受けに挿入されると共に前記キャッチから切り離された状態で、前記溝に配置できると共に仕切部材を案内できる 
ことを特徴とする仕切部材。 
【発明の詳細な説明】
【技術分野】
【０００１】
本発明は、仕切部材ガイド装置及び仕切部材に関する。特に戸枠に沿って移動可能な仕切部材において、ガイドの着脱が自在な仕切部材ガイド装置及び仕切部材に関するものである。
【背景技術】
【０００２】
住宅の各室間の出入り口等の開口部を開閉するために連動式の引戸が使用されることがある。このような連動式の引戸は、開口部の上縁に沿って設けられたガイドレールに沿って走行する吊り車を含むランナー構造により支持される複数枚の引戸から構成されている。各引戸は、それぞれガイドレールに沿って吊り車が走行して開口部の一側又は両側に向かって移動することにより、開口部を開放し、又は閉鎖する。ここで、各引戸は、開放状態では互いに完全に重なり合って、開口部を大きく開放すると共に、閉鎖状態では、各引戸の端縁部分のみが重なり合うように互いにずれて位置することにより、開口部を閉鎖する。
【０００３】
その際、各引戸は、好ましくは連動装置により、一枚の引戸を開放方向又は閉鎖方向に移動させることによって、他の引戸がこれに連動し、それぞれ開放位置又は閉鎖位置に向かって移動すると良い。これにより、各引戸を個別に開放位置又は閉鎖位置に移動させることなく、一枚の引戸を開放位置又は閉鎖位置に移動させることによって、すべての引戸が開放位置又は閉鎖位置に移動され、開口部が開放され又は閉鎖されることになる。このように、連動式の引戸には様々な提案がなされているが、特許文献を基に従来の技術を説明する。
【０００４】
例えば、上吊り式の引戸、下戸車式の引戸、及び、外付け式の引戸にも適用可能とするために連動機構をユニット化し、汎用性の高めることで安価な装置とし、加えて、連動機構が見えないようにして外観を損なわない連動引戸ユニットの技術が知られている（特許文献１参照）。また、正面視右側に位置する引戸を前側にしたタイプの連動引戸にも、また、正面視左側に位置する引戸を前側にしたタイプの連動引戸にも共用できるようにし、連動引戸の施工時に際しての利便性をよくする引戸連動装置の技術が知られている（特許文献２参照）。さらに、簡単な構成により、既設の引戸に対しても容易に取付可能であると共に、高精度の調整が不要である引戸の連動装置の技術が知られている（特許文献３参照）。
【先行技術文献】
【特許文献】
【０００５】
【特許文献１】特開２００３−０８２９３３号公報
【特許文献２】特開２００７−２７０４４１号公報
【特許文献３】特開２０１６−１３０４１５号公報
【発明の概要】
【発明が解決しようとする課題】
【０００６】
特許文献１に記載された連動引戸ユニットは、一の引戸の開閉に伴い他の引戸も開閉するものである。つまり、全開状態から一の引戸を閉じ方向へ動かすと、他の引戸は閉じ方向に連動して進み全閉状態になる。また、全閉状態から一の引戸を開く方向へ動かすと、他の引戸は開く方向に連動して進み全開状態になる。このため、連動引戸ユニットに仕切られ空間を行き来するためには、連動引戸ユニットの各引戸をすべて開いた全開状態にするか、全開状態になる途中で引戸を止めて通路を確保する必要があった。
【０００７】
しかし、連動引戸ユニットに仕切られた空間への行き来が頻繁な場合には、いちいち引戸を全開状態にするのは手間がかかるという問題点があった。また、連動引戸ユニットを全開状態になる途中で引戸を止めて通路を確保すると、各引戸が中途半端に重なり合い見た目に良くないという問題点があった。そして、同様の連動動作をする特許文献２に記載された引戸連動装置及び特許文献３に記載された引戸の連動装置においても同様の問題点があった。
【０００８】
本発明は、以上のような従来の問題点を解決するために創作されたもので、次の目的を達成する。本発明の目的は、ガイドの着脱が自在な仕切部材ガイド装置及び仕切部材に関するものである。本発明の他の目的は、連動する仕切部材を閉鎖位置に移動した閉鎖状態において、一の仕切部材のみの開閉ができるようにする仕切部材ガイド装置及び仕切部材に関するものである。
【課題を解決するための手段】
【０００９】
本発明は、前記目的を達成するために次の手段をとる。 
本発明１の仕切部材ガイド装置は、戸枠に沿って移動可能であり、床側の長手方向に沿って溝が形成された一又は複数の仕切部材に取り付けられる仕切部材ガイド装置であって、前記溝に接するように前記仕切部材の少なくとも一に取り付けられ、溝側及び床側が少なくとも開口する第一区画部と、操作側が開口する第二区画部とが形成されたベースと、前記第一区画部内で移動可能に配置されたキャッチと、前記第二区画部内で移動可能に配置され、前記キャッチに取り付けられたノブと、前記キャッチに取り付けられ、ツボ受けに挿入できるガイドとからなり、前記キャッチは、前記ガイドを着脱自在に取り付けることができる着脱部を有することを特徴とする。
【００１０】
本発明２の仕切部材ガイド装置は、本発明２において、前記ノブ（３０）は、前記キャッチ（２０）を前記第一区画部（１５）内で第一位置と第二位置に移動可能であり、前記第一位置では、前記キャッチに取り付けられた前記ガイドを前記第一区画部（１５）内に収納できることを特徴とする。
【００１１】
本発明３の仕切部材ガイド装置は、本発明２において、前記着脱部は、前記ガイドを挟み込んで取り付ける挟持部であることを特徴とする。
【００１２】
本発明４の仕切部材ガイド装置は、本発明３において、前記挟持部は、弾性変形できるように形成されていることを特徴とする。 
【００１３】
本発明５の仕切部材ガイド装置は、本発明４において、前記ノブは、操作状態を伝達するスプリングピン、プランジャ及びその他のクリック手段が取り付けられていることを特徴とする。
【００１４】
本発明６の仕切部材は、本発明１から５のいずれかの仕切部材ガイド装置備えたことを特徴とする。 
【００１５】
本発明７の仕切部材は、本発明６の仕切部材であって、前記ガイドは、前記ツボ受けに挿入されると共に前記キャッチから切り離された状態で、前記溝に配置できると共に前記仕切部材を案内できることを特徴とする。
【発明の効果】
【００１６】
本発明の仕切部材ガイド装置及び仕切部材は、ガイドの着脱が自在である。本発明の仕切部材ガイド装置及び仕切部材は、連動する仕切部材を閉鎖位置に移動した閉鎖状態において、一の仕切部材のみの開閉をすることができる。
【図面の簡単な説明】
【００１７】
【図１】図１は、本発明の実施の形態を適用した仕切部材ガイド装置１とそれを使用した連動式引戸ｄの外観図である。
【図２】図２は、仕切部材ガイド装置１を分解した状態を示した外観図である。
【図３】図３は、ベース１０を示す図である。
【図４】図４は、キャッチ２０を示す図である。
【図５】図５は、ノブ３０を示す図である。
【００１８】
【図６】図６は、ガイド４０を示す図である。
【図７】図７は、仕切部材ガイド装置１を組み立てる状態を示す図である。
【図８】図８は、仕切部材ガイド装置１を組み立てる状態を示す図である。
【図９】図９は、仕切部材ガイド装置１を使用した連動式引戸ｄの使用状態を示す図である。
【発明を実施するための形態】
【００１９】
〔本発明の実施の形態〕 
以下、本発明の仕切部材ガイド装置１について、図面に基づいて、本発明の実施の形態として詳細に説明する。図１は、本発明の実施の形態を適用した仕切部材ガイド装置１とそれを使用した連動式引戸ｄの外観図である。図２は、仕切部材ガイド装置１を分解した状態を示した外観図である。図３は、ベース１０を示す図であり、図３（ａ）はベース１０の正面図であり、図３（ｂ）は図３（ａ）をα−αで切断した状態を示す断面図である。
【００２０】
図４は、キャッチ２０を示す図であり、図４（ａ）はキャッチ２０の正面図であり、図４（ｂ）は図４（ａ）をβ−βで切断した状態を示す断面図であり、
図４（ｃ）はキャッチ２０の底面図である。図５は、ノブ３０を示す図であり、図５（ａ）はノブ３０の正面図であり、図５（ｂ）は図５（ａ）をγ−γで切断した状態を示す断面図である。図６は、ガイド４０を示す図であり、図６（ａ）はガイド４０の正面図であり、図６（ｂ）は図６（ａ）をε−εで切断した状態を示す断面図である。
【００２１】
なお、図１に示すように、矢印Ｕ方向を上方向とし、その逆方向である矢印Ｄ方向を下方向として説明を行う。水平面内で上下方向と直交する一の方向である矢印Ｌ方向を左方向とし、直交する他の方向である矢印Ｒ方向を右方向として説明を行う。図１に示すように、上下方向及び左右方向と直交する上側の方向である矢印Ｆ方向を前方向とし、下側の方向である矢印Ｂ方向を後方向として説明を行う。上方向側の面、下方向側の面、前方向側の面、後方向側の面、左方向側の面及び右方向側の面をそれぞれ平面、底面、正面、背面、左側面、右側面として説明を行う。
【００２２】
〔連動式引戸ｄ〕 
図１に示すように、連動式引戸ｄは、住宅の各室間の出入り口等の開口部を開閉するために、戸枠に沿って移動可能な第一引戸ｄ１、第二引戸ｄ２及び第三引戸ｄ３より構成されている。第一引戸ｄ１、第二引戸ｄ２及び第三引戸ｄ３は、所定の空間を仕切るための仕切部材であり、それぞれ床側の長手方向に沿って第一溝ｍ１、第二溝ｍ２及び第三溝ｍ３が形成されている。第一溝ｍ１、第二溝ｍ２及び第三溝ｍ３は、第一引戸ｄ１、第二引戸ｄ２及び第三引戸ｄ３の底面の前方向から後方向に向かって伸びるように形成されている。第一引戸ｄ１の一の隅には、格納部１ｈが形成されている。格納部１ｈは、第一引戸ｄ１の正面の下方向側端部と底面の前方向側端部を切り欠いて形成されている。
【００２３】
第一引戸ｄ１の格納部１ｈには、仕切部材ガイド装置１が取り付けられている。第二引戸ｄ２には、フランス落としが取り付けられている（図示せず）。第一引戸ｄ１と第二引戸ｄ２の平面には、第一引戸ｄ１と第二引戸ｄ２を連動して移動させるための第一連動ガイドｇ１が取り付けられている。このため、第二引戸ｄ２を開放方向（本例においては、前方向）又は閉鎖方向（本例においては、後方向）に移動させることによって、第一引戸ｄ１がこれに連動し、それぞれ開放位置又は閉鎖位置に向かって移動する。
【００２４】
同様に、第二引戸ｄ２と第三引戸ｄ３の平面には、第二引戸ｄ２と第三引戸ｄ３を連動して移動させるための第二連動ガイドｇ２が取り付けられている。このため、第三引戸ｄ３を開放方向（本例においては、前方向）又は閉鎖方向（本例においては、後方向）に移動させることによって、第二引戸がこれに連動し、それぞれ開放位置又は閉鎖位置に向かって移動可能である。第一連動ガイドｇ１及び第二連動ガイドｇ２は、公知の連動ガイドで良い。なお、図１及び図８（ａ）に示すように、第一引戸ｄ１、第二引戸ｄ２及び第三引戸ｄ３が全て閉鎖位置にあり、開口部を塞いでいる状態を全閉状態として説明をする。また、図８（ｃ）に示すように、第一引戸ｄ１、第二引戸ｄ２及び第三引戸ｄ３が全て開口位置にあり、開口部を開放している状態を全開状態として説明をする。
【００２５】
仕切部材ガイド装置１は、連動式引戸ｄが全閉状態においても、第一引戸ｄ１を開閉自在にするための装置である。図１に示すように、仕切部材ガイド装置１は、第一引戸ｄ１の一の隅に形成された格納部１ｈに取り付けられている。図２に示すように、仕切部材ガイド装置１は、ベース１０、キャッチ２０、ノブ３０及びガイド４０とから構成され、取付ネジ５０及び取付ネジ８０で第一引戸ｄ１に取り付けられている。
【００２６】
〔ベース１０〕 
ベース１０は、キャッチ２０、ノブ３０及びガイド４０をまとめて収納するための筐体である。図２及び図３に示すように、ベース１０は、本体部１１、鍔部１２及び突出部１３が一体に形成されている。本体部１１は、上方向側が円弧状に形成された縦長の略長方形形状の筐体である。鍔部１２は、図３（ａ）に示すように、本体部１１の底面の左右側面から突出するように形成され、第一引戸ｄ１の底面に貼り付けるための板状の部材である。なお、鍔部１２には、第一引戸ｄ１の底面の定位置に貼り付けることができるように、位置決め突起等を形成すると良い。
【００２７】
突出部１３は、図３（ｂ）に示すように、本体部１１の背面から後方向に突出するように形成された板状の部材である。突出部１３には、上方向から下方向にかけて貫通するように形成され、第一引戸ｄ１に固定するための取付ネジ８０を挿通させる貫通孔１４が形成されている。貫通孔１４は、その下方向側に取付ネジ８０のネジ頭を埋めるための皿取りが形成されている。
【００２８】
図３（ｂ）に示すように、本体部１１の内側には、第一区画部１５、第二区画部１６及び貫通孔１８が形成されている。第一区画部１５は、本体部１１の内部に配置されるキャッチ２０の移動する範囲を規制する空間である。第一区画部１５は、本体部１１の内部において、背面と底面に沿うような縦長の略直方体形状に区画されている。第一区画部１５は、本体部１１の背面の下方向側及び本体部１１の底面の後方向側を切り欠くように形成されている。
【００２９】
第一区画部１５は、本体部１１の背面が切り欠かれているため、仕切部材ガイド装置１が第一引戸ｄ１に取り付けられたとき、第一溝ｍ１につながる。また、第一区画部１５は、本体部１１の背面が切り欠かれているため、キャッチ２０の挟持部２３に対して、ガイド４０の挟み込みや、ガイド４０の切り離しをすることができる。第一区画部１５は、本体部１１の底面が切り欠かれているため、本体部１１の内部に配置されたガイド４０を仕切部材ガイド装置１から出し入れすることができる。
【００３０】
第二区画部１６は、本体部１１の内部に配置されるノブ３０の移動する範囲を規制する空間である。第二区画部１６は、本体部１１の内部において、上方向側が円弧状に形成された縦長の略直方体形状に区画されている。第二区画部１６は、本体部１１の正面の縁を残すように正面全体を切り欠くように形成されている。第二区画部１６は、本体部１１の正面側が切り欠かれて形成されているため、本体部１１に配置されたノブ３０を操作することができる。
【００３１】
図３（ａ）及び（ｂ）に示すように、第一区画部１５と第二区画部１６とは、隔離板１７によって区画されている。隔離板１７は、上方向側が円弧状に形成された縦長の略長方形形状の板状の部材である。隔離板１７には、収納伝達凹部１７ａ、挿入伝達凹部１７ｂ、スライド部１７ｈ及び貫通孔１８が形成されている。収納伝達凹部１７ａは、ノブ３０でキャッチ２０を移動させたときに、移動させた手応えとなるクリック感やラック感を与えるためのクリック手段である。収納伝達凹部１７ａは、図３（ａ）に示すように、隔離板１７の上方向側でスライド部１７ｈを跨いで右方向から左方向にかけて形成されており、図３（ｂ）に示すように、後方向側に凹むように円弧状に形成されている。
【００３２】
挿入伝達凹部１７ｂは、ノブ３０でキャッチ２０を移動させたときに、移動させた手応えとなるクリック感やラック感を与えるためのクリック手段である。挿入伝達凹部１７ｂは、図３（ａ）に示すように、隔離板１７の下方向側でスライド部１７ｈを跨いで右方向から左方向にかけて形成されており、図３（ｂ）に示すように、後方向側に凹むように円弧状に形成されている。スライド部１７ｈは、隔離板１７の上方向側から下方向側にかけて貫通するように形成された角丸長方形形状の溝である。スライド部１７ｈは、キャッチ２０の突出部２４がスライド移動できるように、突出部２４の幅寸法と略同一の幅寸法に形成されている。
【００３３】
図３（ｂ）に示すように、貫通孔１８は、本体部１１の前方向から後方向にかけて貫通するように、隔離板１７の上方向側に形成されている。貫通孔１８は、第一引戸ｄ１に固定するための取付ネジ５０を挿通させることができる。貫通孔１８は、その前方向側に取付ネジ５０のネジ頭を埋めるための皿取りが形成されている。本体部１１の背面には、挿通路１９が形成されている。挿通路１９は、本体部１１の背面を貫通するように形成された角丸長方形形状の溝である。挿通路１９は、ノブ３０にキャッチ２０を取り付けるための小ネジ７０を挿通するための溝である。
【００３４】
〔キャッチ２０〕 
キャッチ２０は、ガイド４０を挟み込むことができると共に、第一位置（第一区画部１５の上方向側の位置）と第二位置（第一区画部１５の下方向側の位置）に移動できる部材である。図２及び図４に示すように、キャッチ２０は、キャッチ本体部２１、挟持部２３及び突出部２４が一体に形成されている。キャッチ２０は、図４（ａ）に示すように、正面から観察すると略角丸長方形であり、図４（ｂ）に示すように、断面から観察すると略コ字形状に形成されている。キャッチ２０のキャッチ本体部２１は、図４（ｂ）に示すように、断面から観察すると略逆Ｌ字形状に形成されている。キャッチ本体部２１は、ベース１０の第一区画部１５の幅寸法と略同一の幅寸法に形成されている。
【００３５】
図４（ｂ）に示すように、キャッチ本体部２１の平面には、凹部２２が形成されている。凹部２２は、キャッチ２０とノブ３０を取り付ける小ネジ７０を通すための通路である。凹部２２は、キャッチ本体部２１の背面の後方向側及びキャッチ本体部２１の平面の上方向側を切り欠くように形成されている。キャッチ本体部２１には、着脱部として挟持部２３が取り付けられている。挟持部２３は、弾性変形することでガイド４０を挟み込む部材である。
【００３６】
図２に示すように、挟持部２３はキャッチ本体部２１の底面から後方向側に向かって突出するように形成された一対の板状の部材であり、図４（ｃ）に示すように、挟持部２３は、略コ字形状に形成されている。一対の挟持部２３の間の幅寸法ｗ１は、軸部４２の外径寸法と同一又は略同一になるように形成されている。また、一対の挟持部２３の後方向側の間の幅寸法ｗ２は、軸部４２の外径寸法より小さくなるように形成されている。なお、挟持部２３の底面は、第二位置に移動したときにベース１０の底面と面一又はベース１０の底面からやや突出する位置になるように設計すると良い。
【００３７】
キャッチ本体部２１の正面には、前方向側に突出するように突出部２４が形成されている。突出部２４は、キャッチ本体部２１の上方向の端部から下方向側にかけて形成された角丸直方体形状である。突出部２４は、ベース１０のスライド部１７ｈでスライド移動できるように、スライド部１７ｈの幅寸法と略同一の幅寸法に形成されている。突出部２４には、挿入孔２５、第一貫通孔２６及び第二貫通孔２７が形成されている。挿入孔２５は、スプリングピン６０を支持するための凹みである。挿入孔２５は、図４（ａ）に示すように、突出部２４の略中央において、右方向から左方向にかけて形成されており、図４（ｂ）に示すように、後方向側に凹むように円弧状に形成されている。
【００３８】
第一貫通孔２６は、突出部２４から凹部２２にかけて貫通するように形成され、ノブ３０にキャッチ２０を固定するための小ネジ７０が挿通できる。第二貫通孔２７は、突出部２４から区画部２８にかけて貫通するように形成され、ノブ３０にキャッチ２０を固定するための小ネジ７０が挿通できる。区画部２８は、キャッチ２０に挟まれたガイド４０の頭部４１を収納できる空間であり、小ネジ７０を通すための通路でもある。区画部２８は、キャッチ本体部２１と挟持部２３との間において、横長の略直方体形状に区画されている。
【００３９】
〔ノブ３０〕 
ノブ３０は、使用者が操作することで、キャッチ２０を第一位置と第二位置に切り替えることで、ガイド４０を収納状態と挿入状態に切り替えるための部材である。図２及び図５に示すように、ノブ３０は、上方向側が円弧状に形成された縦長の略長方形形状の筐体である。ノブ３０には、第一開口３１、第二開口３２、挿入孔３３、第一ネジ穴３４及び第二ネジ穴３５が形成されている。第一開口３１及び第二開口３２は、使用者がノブ３０を操作するときに摘まむことができる空間である。第一開口３１は、本体部１１の内部において、上方向側が円弧状に形成された縦長の略直方体形状に区画されている。第一開口３１は、ノブ３０の正面の縁を残すように、ノブ３０の上方向側を切り欠くように形成されている。第二開口３２は、ノブ３０の正面の縁を残すように、ノブ３０の下方向側を切り欠くように形成されている。
【００４０】
挿入孔３３は、スプリングピン６０を支持するための凹みである。挿入孔３３は、ノブ３０の背面の略中央において右から左にかけて形成されており（図示せず）、図５（ｂ）に示すように、前方向側に凹むように円弧状に形成されている。第一ネジ穴３４は、ノブ３０の背面から前方向に向かうように形成されたネジ穴であり、ノブ３０にキャッチ２０を取り付けるための小ネジ７０を締結できる。第二ネジ穴３５は、ノブ３０の背面から前方向に向かうように形成されたネジ穴であり、ノブ３０にキャッチ２０を取り付けるための小ネジ７０を締結できる。
【００４１】
〔ガイド４０〕 
ガイド４０は、床に形成されたツボ受けに差し込んで、第一引戸ｄ１を所定の位置に固定する部材であり、ツボ受けに差し込まれた状態で、第一引戸ｄ１を左右方向にずらすことなく案内するための部材である。図２及び図６に示すように、ガイド４０は、頭部４１と一体に形成された軸部４２、挿入部４３及び鍔部４４とから構成されている。頭部４１は、挟持部２３からの抜け落ちを防ぐための部位であり、外径が一対の挟持部２３の間の幅寸法ｗ１よりも大きくなるように形成されている。
【００４２】
軸部４２は、挟持部２３に挟持されるための部位であり、外径が一対の挟持部２３の間の幅寸法ｗ１と同一又は略同一になるように形成されている。挿入部４３は、ツボ受けに差し込むための部位であり、外径がツボ受けの内径寸法と同一又は略同一になるように形成されている。鍔部４４は、ガイド４０がツボ受けに差し込まる位置を規制するための部位であり、外径がツボ受けの内径寸法よりも大きくなるように形成されている。
【００４３】
〔スプリングピン６０〕 
スプリングピン６０は、ノブ３０でキャッチ２０を移動させたときにクリック感やラック感を与えて操作状態を伝達するためのピンである。図２に示すように、スプリングピン６０は、円筒状で縦方向に切り欠きが形成されている。スプリングピン６０の外径は、ノブ３０とキャッチ２０を組み立てたときの挿入孔３３と挿入孔２５をあわせた内径と同一又はやや大きくなるように形成されている。
【００４４】
〔仕切部材ガイド装置１〕 
次に、ベース１０、キャッチ２０、ノブ３０及びガイド４０を組み立てて、取付ネジ５０及び取付ネジ８０で第一引戸ｄ１に取り付けられている仕切部材ガイド装置１について説明をする。図７は、仕切部材ガイド装置１を組み立てる状態を示す図であり、図７（ａ）はベース１０にキャッチ２０及びノブ３０を嵌め込んだ状態を示す正面図であり、図７（ｂ）は図７（ａ）をζ−ζで切断した状態を示す断面図である。
【００４５】
図７（ｃ）はキャッチ２０にガイド４０を挟み込む状態を示す正面図であり、図７（ｄ）は図７（ｃ）をη−ηで切断した状態を示す断面図である。図８は、仕切部材ガイド装置１を組み立てる状態を示す図であり、図８（ａ）はキャッチ２０がガイド４０を挟み込んだ状態を示す正面図であり、図８（ｂ）は図８（ａ）をθ−θで切断した状態を示す断面図である。図８（ｃ）はガイド４０を挟み込んだキャッチ２０を収納した状態を示す正面図であり、図８（ｄ）は図８（ｃ）をι−ιで切断した状態を示す断面図である。
【００４６】
図７（ａ）及び（ｂ）に示すように、ベース１０の第一区画部１５にキャッチ２０を嵌め込み、ベース１０の第二区画部１６にノブ３０を嵌め込む。このとき、ノブ３０の挿入孔３３には、スプリングピン６０を挿通しておく。キャッチ２０の突出部２４は、ベース１０のスライド部１７ｈにはめ込まれる。キャッチ２０の第一貫通孔２６とノブ３０の第一ネジ穴３４と同一軸線上にあわせ、キャッチ２０の第二貫通孔２７とノブ３０の第二ネジ穴３５と同一軸線上にあわせる。
【００４７】
この状態で、小ネジ７０を挿通路１９から凹部２２へ通し、第一貫通孔２６に差し込まれて、第一ネジ穴３４に締結する。同様に、小ネジ７０を挿通路１９から区画部２８へ通し、第二貫通孔２７に差し込まれて、第二ネジ穴３５に締結する。これにより、キャッチ２０とノブ３０が、ベース１０の隔離板１７を介して固定され、スライド部１７ｈの範囲内で上下方向に移動できるようになる。使用者がノブ３０を操作して第一位置に移動させたとき、スプリングピン６０が隔離板１７の収納伝達凹部１７ａに嵌まり、クリック感やラック感が得られる。また、使用者がノブ３０を操作して第二位置に移動させたとき、スプリングピン６０が隔離板１７の挿入伝達凹部１７ｂに嵌まり、クリック感やラック感が得られる。
【００４８】
図７（ｃ）及び（ｄ）に示すように、ノブ３０を操作してキャッチ２０を下方向に移動させた状態で、挟持部２３に対してガイド４０を挟み込むことができる。仕切部材ガイド装置１をガイド４０に近づけると、挟持部２３の後方向側とガイド４０が当接する。さらに、仕切部材ガイド装置１をガイド４０に近づけて、所定以上の力が挟持部２３の後方向側に加わると挟持部２３は弾性変形する。つまり、挟持部２３が弾性変形することで、一対の挟持部２３の後方向側の間の幅寸法ｗ２が、軸部４２の外径寸法と同一になる。 
【００４９】
さらに、仕切部材ガイド装置１をガイド４０に近づけると、挟持部２３はもとの形状に戻り、図８（ａ）及び（ｂ）に示すように、挟持部２３にガイド４０の軸部４２が挟み込まれる。このとき、一対の挟持部２３の後方向側の間の幅寸法ｗ２は、軸部４２の外径寸法より小さくなるように形成されているため、挟持部２３からガイド４０は抜けづらくなる。また、ガイド４０の頭部４１は、外径が一対の挟持部２３の間の幅寸法ｗ１よりも大きくなるように形成されているため、ガイド４０が下方向側に抜け落ちることはない。
【００５０】
図８（ｃ）及び（ｄ）に示すように、ノブ３０を操作してキャッチ２０を上方向に移動させた状態にすると、ガイド４０がベース１０の第一区画部１５に収納される。ベース１０にキャッチ２０、ノブ３０及びガイド４０を組み立てた後に、取付ネジ５０及び取付ネジ８０を第一引戸ｄ１に取り付けることができる。つまり、取付ネジ５０をベース１０の貫通孔１８に差し込んで第一引戸ｄ１のネジ穴に締結する。また、取付ネジ８０をベース１０の貫通孔１４に差し込んで第一引戸ｄ１のネジ穴に締結する。これにより、仕切部材ガイド装置１が第一引戸ｄ１に固定される。
【００５１】
〔連動式引戸ｄの使用方法〕 
次に、仕切部材ガイド装置１が取り付けられた第一引戸ｄ１を有する連動式引戸ｄの使用方法について説明する。図９は、連動式引戸ｄの使用状態を示す図である。図９（ａ）は、連動式引戸ｄを全閉状態にした図であり、図９（ｂ）は、全閉状態の連動式引戸ｄの第一引戸ｄ１を開閉できるようにした状態を示す図であり、図９（ｃ）は、連動式引戸ｄを全開状態にした図である。
【００５２】
図９（ａ）に示すように、連動式引戸ｄは、公知の第一連動ガイドｇ１及び第二連動ガイドｇ２により連動してすべて閉まった全閉状態にすることができる。例えば、第三引戸ｄ３を閉める方向に移動させることにより、第二引戸ｄ２及び第一引戸ｄ１が連動されて移動して、全閉状態になる。このとき、仕切部材ガイド装置１は、ノブ３０とキャッチ２０が下方向に移動されており、ガイド４０は、挟持部２３に挟まれた状態で第一ツボ受け９１に差し込まれている（例えば、図８（ａ）及び（ｂ）を参照）。
【００５３】
図９（ｂ）に示すように、全閉状態の連動式引戸ｄは、第一引戸ｄ１を開閉することができる。図９（ａ）の全閉状態のときに、第二引戸ｄ２のフランス落としのシャフトを落として、第二ツボ受け９２に差し込んで、第二引戸ｄ２を床に固定する（図示せず）。この状態で、第一引戸ｄ１の仕切部材ガイド装置１のノブ３０を操作してキャッチ２０を第一位置に移動させた状態にすると、ガイド４０がベース１０の第一区画部１５に収納されて（例えば、図８（ｃ）及び（ｄ）を参照）、第一引戸ｄ１は移動が可能になる。つまり、図９（ｂ）に示すように、連動式引戸ｄを全開状態にすることなしに、第一引戸ｄ１を開閉することができるため、使用者は仕切られた空間を行き来することができる。
【００５４】
図９（ｃ）に示すように、全閉状態の連動式引戸ｄは、収納空間ｓに収納して全開状態にできる。図９（ａ）の全閉状態のときに、第二引戸ｄ２のフランス落としのシャフトが第二ツボ受け９２に差し込まれている場合には、シャフトを上方向にあげて固定を解除する。このとき、仕切部材ガイド装置１は、ノブ３０とキャッチ２０が第二位置に移動されており、ガイド４０は、挟持部２３に挟まれた状態で第一ツボ受け９１に差し込まれている（例えば、図８（ａ）及び（ｂ）を参照）。このままの状態で、第一引戸ｄ１を収納空間ｓ側に移動させようとすると、第一ツボ受け９１に差し込まれているガイド４０から挟持部２３が切り離される。 
【００５５】
つまり、ガイド４０は第一ツボ受け９１に差し込まれているため動かないので、挟持部２３の後方向側に所定以上の力が加わり、挟持部２３が弾性変形して、仕切部材ガイド装置１からガイド４０が切り離される（例えば、図７（ｃ）及び（ｄ）を参照）。切り離されたガイド４０は、第一引戸ｄ１の第一溝ｍ１に位置するため、第一引戸ｄ１は左右方向にずれることなく案内されて、収納空間ｓに収納できる。第一引戸ｄ１を収納空間ｓ側に移動させることにより、第二引戸ｄ２及び第三引戸ｄ３が連動されて移動して、全開状態になる。なお、挟持部２３の底面は、第二位置に移動したときにベース１０の底面と面一又はベース１０の底面からやや突出する位置にあるため、挟持部２３の底面は床に接しにくい。このため、ノブ３０を操作してキャッチ２０を第一位置に移動させることなし、第一引戸ｄ１を移動させることができる。
【００５６】
本例において、ノブ３０でキャッチ２０を移動させたときのクリック感は、スプリングピン６０でだしているが、バネ付勢を利用した平行ピンやプランジャ等でも良い。本例において、挟持部２３は、挟み込む部材で説明しているが、ガイド４０を着脱自在に取り付けることができるのであれば他の部材でも良い。本例において、仕切部材は複数枚の連動式引戸ｄで説明をしているが、一又は複数の他の仕切部材であっても良いことはいうまでもない。例えば、引戸、可動間仕切り、スライディングウォール、パーティション及びその他の仕切部材であっても良い。以上、本発明の種々の実施の形態を説明したが、本発明は、この実施の形態に限定されることはない。本発明の目的、趣旨を逸脱しない範囲内での変更が可能なことはいうまでもない。
【符号の説明】
【００５７】
１      ：仕切部材ガイド装置 
１ｈ    ：格納部 
１０    ：ベース 
１１    ：本体部 
１２    ：鍔部 
１３    ：突出部 
１４    ：貫通孔 
１５    ：第一区画部 
１６    ：第二区画部 
１７    ：隔離板 
１７ａ  ：収納伝達凹部 
１７ｂ  ：挿入伝達凹部 
１７ｈ  ：スライド部 
１８    ：貫通孔 
１９    ：挿通路 
２０    ：キャッチ 
２１    ：キャッチ本体部 
２２    ：凹部 
２３    ：挟持部 
２４    ：突出部 
２５    ：挿入孔 
２６    ：第一貫通孔 
２７    ：第二貫通孔 
２８    ：区画部 
３０    ：ノブ 
３１    ：第一開口 
３２    ：第二開口 
３３    ：挿入孔 
３４    ：第一ネジ穴 
３５    ：第二ネジ穴 
４０    ：ガイド 
４１    ：頭部 
４２    ：軸部 
４３    ：挿入部 
４４    ：鍔部 
５０    ：取付ネジ 
６０    ：スプリングピン 
７０    ：小ネジ 
８０    ：取付ネジ 
ｄ      ：連動式引戸 
ｄ１    ：第一引戸 
ｄ２    ：第二引戸 
ｄ３    ：第三引戸 
ｇ１    ：第一連動ガイド 
ｇ２    ：第二連動ガイド 
ｍ１    ：第一溝 
ｍ２    ：第二溝 
ｍ３    ：第三溝 
【図１】
2018178436.tif 000003
【図２】
2018178436.tif 000004
【図３】
2018178436.tif 000005
【図４】
2018178436.tif 000006
【図５】
2018178436.tif 000007
【図６】
2018178436.tif 000008
【図７】
2018178436.tif 000009
【図８】
2018178436.tif 000010
【図９】
2018178436.tif 000011